【誤訳訂正書】
【提出日】平成25年10月18日(2013.10.18)
【誤訳訂正１】
【訂正対象書類名】特許請求の範囲
【訂正対象項目名】全文
【訂正方法】変更
【訂正の内容】
【特許請求の範囲】
【請求項１】
患者への流体搬送用の輸液ポンプ（２）に係合するカセット（１）であって、
流体を方向付ける可撓性の管（７５）と、
互いに垂直な４つの外壁（１０，２０，３０，４０）および２つの面（５０，６０）を有する略矩形の筐体（５）と、を備え、
第１および第３の外壁は、平坦壁であり、且つ、可撓性の前記管（７５）を保持すると共に流れ経路を少なくとも部分的に規定する第１および第２の端部（１０，３０）を規定し、
前記管（７５）に流体を流すために前記流れ経路に沿って前記管（７５）が張力を付与され、
前記筐体（５）は、前記第１および第３の外壁（１０，３０）の間に垂直に第２の外壁（２０）を更に有し、
前記第２の外壁（２０）は、２つの直壁部（２２，２８）と、該２つの直壁部（２２，２８）の間に位置する固定された剛性湾曲壁（２５）と、を含み、
前記剛性湾曲壁（２５）は、可撓性の前記管（７５）が通る開口（２４）を両側に含み、
前記管（７５）が、該管（７５）を通る流体を流動させる前記輸液ポンプ（２）のポンピング機構（２１０）に係合するように構成され、前記管の長尺部が初期に当該カセット（１）の端部（１０，３０）同士の間で一直線に保持され、
前記第１および第２の端部である平坦壁（１０，３０）のそれぞれは、入口または出口管支持部（１５，３５）を含み、
前記入口および出口管支持部は、前記第１および第３の外壁の一部として成形され別個の長尺部となっている前記可撓性の管が固定されるアダプタの構造を有しており、
前記管（７５）が前記輸液ポンプの前記ポンピング機構（２１０）に係合されるときに、前記管は、前記湾曲壁及び前記ポンピング機構に接触して間に配置され、
前記ポンピング機構は、前記管に流体が適正に流れるように、正確かつ繰返し可能に前記可撓性の管を引き伸ばすと共に前記管に張力を付与するために前記可撓性の管を前記湾曲壁に接触させる、カセット。
【請求項２】
流体非搬送位置で前記管（７５）に対して付勢されて該管を通る流れを阻止するフロー防止弁機構（１００）と、
前記筐体（５）が前記輸液ポンプ（２）に係合されるときに、当該カセット（１）および前記フロー防止弁機構（１００）に動作可能なように関連付けられ、力付与部材の付勢を克服して前記管（７５）に流体が流れるようにする部材（１０７）と
をさらに備える、請求項１に記載のカセット。
【請求項３】
前記フロー防止弁機構（１００）が、前記管（７５）に係合され、可動部材（１０３）および力付与部材（１１０）を有し、
前記流体非搬送位置にある前記力付与部材が、前記管（７５）に対して前記可動部材（１０３）を付勢して前記管を通る流れを阻止し、前記可動部材（１０３）が、前記流体非搬送位置と、前記力付与部材の付勢が克服されて前記管（７５）に流体が流れるようにする流体搬送位置との間で可動である、請求項２に記載のカセット。
【請求項４】
前記筐体（５）が、前記輸液ポンプ（２）との係合中に当該カセット（１）を位置合わせするための位置合わせ溝（５３）を有し、前記筐体（５）が、前記管に隣接して該管を通る流体の流れの監視または検出を可能にする少なくとも１つの窓（６８）を含む、請求項１に記載のカセット。
【請求項５】
前記筐体（５）が成型プラスチックからなり、前記管（７５）が弾性材またはシリコン材からなり、該管（７５）が前記筐体（５）内の入口支持部と出口支持部（１５，３５）との間に保持され、前記管支持部（１５，３５）のそれぞれが雄接合部および雌接合部を含み、前記入口支持部（１５）では、前記管内に嵌るように前記雄接合部が構成され寸法付けられ、流体供給部に延びる前記管を受け入れるように前記雌接合部が構成され寸法付けられ、前記出口支持部（３５）では、前記管内に嵌るように前記雄接合部が構成され寸法付けられ、患者へ延びる前記管の長尺部を受け入れるように前記雌接合部が構成され寸法付けられる、請求項１に記載のカセット。
【請求項６】
ａ）請求項１〜５に記載のカセットの群から選択されるカセット（１）と、
ｂ）輸液ポンプ（２）と
を備え、
前記輸液ポンプ（２）が、前記カセット（１）を受け入れるように構成され寸法付けられる開口（２３０）を有するポンプ筐体（２０５）と、可撓性の前記管（７５）に係合し、該管を前記湾曲壁（２５）に沿った位置に引き伸ばし、十分な張力を付与して前記管（７５）に正確な量の流体が流れるようにするポンピング機構（２１０）と
を備える、流体搬送システム。
【請求項７】
前記流れ経路が、前記ポンピング機構（２１０）に対向する凹部形状をなす剛性の前記湾曲壁（２５）により少なくとも部分的に規定される、請求項６に記載の流体搬送システム。
【請求項８】
前記輸液ポンプ（２）が、該輸液ポンプの外部面に前記カセット（１）を装着するための特徴部をさらに有し、装着の前記特徴部がタブ、クリップ、ラッチ、キャッチ、ファスナーまたはこれらの組合せを含む、請求項６に記載の流体搬送システム。
【請求項９】
前記ポンピング機構（２１０）が固定位置にあり、前記カセット（１）を移動して前記ポンピング機構（２１０）に接触させることにより、可撓性の前記管（７５）が係合状態になる、請求項６に記載の流体搬送システム。
【請求項１０】
前記輸液ポンプ（２）に係合されるときに前記カセット（１）が固定位置にあり、前記ポンピング機構（２１０）が移動して前記管（７５）に接触することにより可撓性の前記管（７５）に係合する、請求項６に記載の流体搬送システム。
【請求項１１】
前記カセット（１）の前記筐体（５）が、前記輸液ポンプ（２）との係合中に前記カセット（１）を位置合わせするための位置合わせ溝（５３）を有し、前記カセット（１）の前記筐体（５）が略矩形であり、前記輸液ポンプ（２）の開口に嵌るように構成され寸法付けられ、該輸液ポンプ（２）が、前記カセットの前記位置合わせ溝（５３）に係合する少なくとも１つの位置合わせ部品と、前記管を通る流体の流れを監視または検出するための窓と光学的に整列される少なくとも１つのセンサとをさらに有する、請求項６に記載の流体搬送システム。
【誤訳訂正２】
【訂正対象書類名】明細書
【訂正対象項目名】０００１
【訂正方法】変更
【訂正の内容】
【０００１】
［0001］  本発明は、輸液ラインの管を通じた溶液の腸内投与中または非経口投与中にフリーフローを防止するための装置および方法に関する。より詳しくは、本発明は、患者への流体搬送用の輸液ポンプに係合可能なデバイスに関する。デバイスは、デバイスが輸液ポンプに係合されると管に流体が流れるようにし、ポンプから取り外されるとフロー防止弁が管を閉塞して管を通る溶液の望ましくないフリーフローを防止するようなフロー防止弁機構を含む。
【誤訳訂正３】
【訂正対象書類名】明細書
【訂正対象項目名】０００２
【訂正方法】変更
【訂正の内容】
【０００２】
［0002］  患者に溶液を投与するための輸液セットの利用は、医療分野で周知である。輸液セットは、腸内用途と非経口用途の両方に利用される。経腸栄養ポンプは、患者が様々な理由により食物を普通に摂取できないときに栄養および薬物を患者に供給するために利用される。非経口（点滴）溶液は、十分な水分補給を確実にするとともに、必要な栄養、ミネラル、および薬物を供給するために患者に供給される。しばしば、輸液セットは、重力により溶液を患者に送り込む自立配置に置かれる。これを防止するために、管は、望ましくないときに流れを防止するために、しばしばクランプされ、さもなければブロックされる。
【誤訳訂正４】
【訂正対象書類名】明細書
【訂正対象項目名】００１２
【訂正方法】変更
【訂正の内容】
【００１２】
［0012］  カセットは、初期に流体非搬送位置で管に対して付勢されて管を通る流れを阻止するフロー防止弁機構と、筐体がポンプに係合されるときに、カセットおよびフロー防止弁機構に動作可能なように関連付けられ、力付与部材の付勢を克服して管に流体が流れるようにする部材とを含むことが好ましい。筐体は、輸液ポンプとの係合のために構成され寸法付けられ、部材は、係合中または係合後に、流体搬送位置を占めて管に流体が流れるようにし、カセットがポンプから取り外される前または取り外された後に、流体非搬送位置を占めて管を通る流れを阻止する。
【誤訳訂正５】
【訂正対象書類名】明細書
【訂正対象項目名】００３５
【訂正方法】変更
【訂正の内容】
【００３５】
［0043］  タブ部材は、筐体およびフロー防止弁機構に動作可能なように関連付けられ、流体非搬送位置と流体搬送位置との間で可動である。カセットがポンプに係合されるときに、タブは、後方に押され、これにより可撓管との接触状態から可動部材を後退させ、力付与部材の蓄積力を増加させる。カセットが輸液ポンプから係合解除されるときに、力付与部材の蓄積力は、解放されて可動部材およびタブ部材を付勢された流体非搬送位置に復帰させる。
【誤訳訂正６】
【訂正対象書類名】明細書
【訂正対象項目名】００４１
【訂正方法】変更
【訂正の内容】
【００４１】
［0049］  本発明の他の実施形態は、患者への流体搬送用の輸液ポンプに係合するカセットに関する。このカセットは、流体を方向付ける可撓管を保持する第１および第２の端部を有する筐体であり、管が管を通る流体を流動させる輸液ポンプのポンピング機構に係合するように構成される筐体と、管、筐体、またはカセットに係合されて筐体またはカセットの内部または付近に存在するフロー防止弁機構とを有する。フロー防止弁機構は、カセットおよびフロー防止弁機構に動作可能なように関連付けられ流体非搬送位置で管に対して付勢されて管を通る流れを阻止する部材を含み、この部材は、筐体がポンプに係合されるときに力付与部材の付勢を克服して管に流体が流れるようにする。フロー防止弁機構は、管、カセットもしくは筐体に係合され、またはカセットもしくは筐体の内部もしくは付近に配置される。フロー防止弁機構は、可動部材および力付与部材を有することが好ましく、流体非搬送位置にある力付与部材は、管に対して可動部材を付勢して管を通る流れを阻止する。カセットは、カセット筐体およびフロー防止弁機構に動作可能なように関連付けられたタブ部材も含み、流体非搬送位置と、管に流体が流れるようにするために力付与部材の付勢が解除される流体搬送位置との間で可動である。タブ部材は、力付与部材の付勢を克服するためにカセットおよびフロー防止弁機構に動作可能なように関連付けられている。筐体は、専用の輸液ポンプに係合するように構成され寸法付けられ、タブ部材は、係合中または係合後にポンプにより流体搬送位置に移動されて管に流体が流れるようにし、カセットがポンプから取り外される前または取り外されると解放され、力付与部材が流体非搬送位置に復帰して管を通る流れを阻止する。